(57)【要約】【課題】前板を動かすことなくロックアームの係合を解除可能にしチャイルドロックとして安全性や操作性を向上させる。【解決手段】筐体開口を開閉自在に閉鎖する前板８及び筐体７の一方に取り付けられるロック本体５と、他方に設けられてロック本体と係合して前板８の移動を阻止する係止部材６とを備えたロック装置であり、ロック本体５は、前板又は筐体に取り付けられる基部１と、操作部２７を有し基部１に支持されて前板８が筐体開口を閉鎖した状態で操作部を前板から露出し回動操作可能なレバー２と、レバーと一体であるロックアーム２８と、レバーとロックアームとの間にあるロッド２０と、ロックアームを付勢する付勢手段４と、ロックアームを係止部材と係合可能な使用態様又は係合不能な非使用態様となるよう切り換える作動切換部材３とを備え、使用態様にて、ロックアームと係止部材との係合がレバーの回動により解除される。【選択図】図１
2016123807.tif 000002
【特許請求の範囲】
【請求項１】
筐体の開口を開閉自在に閉鎖する前板及び前記筐体の何れか一方に取り付けられるロック本体と、前記前板及び前記筐体の他方に設けられて前記ロック本体と係合することで前記前板の移動を阻止する係止部材とを備えたロック装置であって、
前記ロック本体は、前記前板又は前記筐体に取り付けられる基部と、操作部を有し前記基部に支持されて前記前板が前記開口を閉鎖した状態で前記操作部を前記前板から露出し回動操作可能なレバーと、前記レバーと一体であるロックアームと、前記レバーと前記ロックアームとの間に設けられているロッドと、前記ロックアームを前記係止部材と係合する方向へ付勢する付勢手段と、前記ロックアームを前記係止部材と係合可能な使用態様又は係合不能な非使用態様となるよう切り換える作動切換部材とを備え、前記使用態様にて、前記ロックアームと前記係止部材との係合が前記レバーの回動により解除されることを特徴とするロック装置。
【請求項２】
前記作動切換部材は、前記ロッドの一部と係合して前記ロックアームの回動を規制可能にするロックアーム非係合維持部を有していることを特徴とする請求項１に記載のロック装置。
【請求項３】
前記作動切換部材は、前記基部に摺動可能に設けられると共に、前記ロッドに接離するように移動可能にする摘み部を有していることを特徴とする請求項１又は２に記載のロック装置。
【請求項４】
前記ロッドは一部に係合部を有し、前記係合部が前記作動切換部材の前記ロックアーム非係合維持部と当接するか、或いは前記作動切換部材に形成されている収納部に配置されることを特徴とする請求項２又は３に記載のロック装置。
【請求項５】
前記レバーと前記ロックアーム及び前記ロッドは、前記基部に対して一体ものとして所定角回動可能に支持されていることを特徴とする請求項１から４の何れかに記載のロック装置。
【請求項６】
前記レバーは、前記ロックアームの前記非使用態様において、前記操作部が前記前板の前面よりも突出しない位置に退避可能であることを特徴とする請求項１から５の何れかに記載のロック装置。
【発明の詳細な説明】
【技術分野】
【０００１】
本発明は、筐体の開口を開閉する前板のロック装置のうち、特にチャイルドロックとして好適なロック装置に関する。
【背景技術】
【０００２】
対象のロック装置は、収納空間などを区画している筐体の開口を開閉自在に閉鎖する前板及び筐体の何れか一方に取り付けられるロック本体と、前板及び筐体の他方に設けられてロック本体と係合することで前板の移動を規制可能にする係止部材とを備えている。また、作動的には、必要に応じて幼児などに前板を開放されないようにするチャイルドロックとしても機能するタイプである。
【０００３】
図１１はその一例として特許文献１に開示のロック装置（機構）を示し、（ａ）は前板を開放した状態でロック装置を示す一部拡大縦側面図、（ｂ）はロック解除操作するため前板を少し開放した状態を示す一部拡大横断面図である。同図において、ロック装置２３は、前板１０に取り付けられたロック本体２０と、筐体側のヒンジスペース１４に設けられたロックピン１８とで構成されている。ロック本体２０は、基部２１と、基部２１に揺動手段（凹部２２ｄと凸部との嵌合）を介して支持されたロックアーム２２とからなる。前板１０の閉鎖時にはロック本体２０がヒンジスペース１４内に収容される。前板１０の開放状態にて、使用者は、ロックアーム２２がロックピン１８に対して係合し得る起立位置か、或いは係合不能な転倒位置かを揺動手段２１ｃ，２２ｄを介して予め選択することができる。また、ロック本体２０には、ロックアーム２２を係合不能な位置に保つ維持手段２２ｄ，２２ｅが設けられている。
【０００４】
以上のロック装置の主な作動特徴は次のような点にある。まず、前板の閉鎖状態では、ロック本体２０がヒンジスペース１４内に収容されるので、子供が不用意にロックを解除してしまう虞がなくなる。また、ロック解除操作では、前板１０を少し開放してロックアーム２２をロックピン１８から退避操作させる。頻繁に前板を開閉する場合には、前板１０の開放状態にて、ロックアーム２２を係合不能な位置に予め倒しておけば、ロックされなくなるので開閉の毎にロック解除を行う煩わしさがない。また、ロックアーム２２は、維持手段２２ｄ，２２ｅによって係合不能な位置に維持されるため、前板の開閉時などにおいて、係合不能な位置から係合し得る位置まで揺動することがなくなる。
【先行技術文献】
【特許文献】
【０００５】
【特許文献１】特許第５１２７３６３号公報
【発明の概要】
【発明が解決しようとする課題】
【０００６】
上記ロック装置において、ロック解除操作では、図１１（ｂ）のごとく前板を少し開放して筐体側との間に形成される隙間から手を差し込んでロックアームをロックピンから退避操作させる。このため、この構造では、幼児などが不用意に前板を開方向に動かし、筐体との間に形成される隙間から手を差し込んでロックアームを係合解除する虞もある。この虞は、ロックアームが係合方向に付勢されていない関係で、ロックアームを係合不能な位置に倒す行為と、前板を更に開放方向へ回動する行為を同時に行わなくてもよいためより深刻なものとなる。
【０００７】
本発明の目的は、以上のような課題を解消して、前板を動かすことなくロックアームの係合を解除可能にして、チャイルドロックとして安全性や操作性を向上させることにある。他の目的は以下の内容説明の中で明らかにする。
【課題を解決するための手段】
【０００８】
上記目的を達成するため本発明は、筐体の開口を開閉自在に閉鎖する前板及び前記筐体の何れか一方に取り付けられるロック本体と、前記前板及び前記筐体の他方に設けられて前記ロック本体と係合することで前記前板の移動を阻止する係止部材とを備えたロック装置であって、前記ロック本体は、前記前板又は前記筐体に取り付けられる基部と、操作部を有し前記基部に支持されて前記前板が前記開口を閉鎖した状態で前記操作部を前記前板から露出し回動操作可能なレバーと、前記レバーと一体であるロックアームと、前記レバーと前記ロックアームとの間に設けられているロッドと、前記ロックアームを前記係止部材と係合する方向へ付勢する付勢手段と、前記ロックアームを前記係止部材と係合可能な使用態様又は係合不能な非使用態様となるよう切り換える作動切換部材とを備え、前記使用態様にて、前記ロックアームと前記係止部材との係合が前記レバーの回動により解除されることを特徴としている。
【０００９】
以上の本発明において、『筐体』は、用途的な制約は特になく、それ自体独立した構造、或いは例えばシステムキッチンのごとく厨房収納設備や洗面台収納設備などに組み込まれた構造でもよい。また、『前板』は、筐体の開口を開閉するものであればよく、筐体に摺動されるスライド式引出し（抽斗）を構成している前板構成、筐体に対し一端側のヒンジを支点として回動されて筐体開口を開閉する扉や蓋構成、それらに類似の構成を含む広義な意味で使用している。
【００１０】
以上の本発明は、請求項２〜６で特定したように具体化されることがより好ましい。
(１)、前記作動切換部材は、前記ロッドの一部と係合して前記ロックアームの回動を規制可能にするロックアーム非係合維持部を有している構成である（請求項２）。
（２）、前記作動切換部材は、前記基部に摺動可能に設けられると共に、前記ロッドに接離するように移動可能にする摘み部を有している構成である（請求項３）。
（３）、前記ロッドは一部に係合部を有し、前記係合部が前記作動切換部材の前記ロックアーム非係合維持部と当接するか、或いは前記作動切換部材に形成されている収納部に配置される構成である（請求項４）。
【００１１】
（４）、前記レバーと前記ロックアーム及び前記ロッドは、前記基部に対して一体ものとして所定角回動可能に支持されている構成である（請求項５）。
（５）、前記レバーは、前記ロックアームの前記非使用態様にて、前記操作部が前記前板の前面よりも突出しない位置に退避可能な構成である（請求項６）。
【発明の効果】
【００１２】
請求項１の発明では、図１及び図２、或いは図１０に例示されるのような使い方が可能となり、ロックアームの使用態様にて、前板の閉鎖状態で前板を動かすことなく係止部材に対するロックアームの係合を解除でき、以下のような利点を有している。
（ア）、ロックアームの係合を解除する操作は、特許文献１に比べて、前板から露出している操作部を勢力手段の付勢力に抗して回動操作する行為と、前板を前方へ動かす行為とを同時に必要とするため、幼児や子供が不用意に前板を開放してしまうという虞をなくすことができる。従って、例えば包丁を収容した厨房システムやキャビネットに本発明を適用することで安全性を向上し、チャイルドロックとしてより好適なものとなる。
（イ）、前板を頻繁に開閉する場合は、予めロックアームを作動切換部材により使用態様から非使用態様に切り換えておけば開閉の都度、レバーを操作して係合解除しなくてもよい。この切り換え操作では、ロックアームを専用の作動切換部材により使用態様と非使用態様とに切り換えるため特許文献１に比べて良好な操作性を実現できる。
【００１３】
請求項２の発明では、作動切換部材がロックアーム非係合維持部をロッドの一部と係合してロックアームの回動を規制、つまりロックアームを非使用態様に確実に維持できるようにする。一方、請求項３の発明では、作動切換部材が摘み部を利用して摺動操作されるためロックアームを使用者の選択（使用態様か非使用態様か）に応じ良好に切り換えることができる。
【００１４】
請求項４の発明では、ロックアーム非係合維持部をロッド側係合部に係合させてロッドの回動を規制つまりロックアームを非使用態様に切り換え、また、ロックアーム非係合維持部をロッド側収納部に配置することで前記係合を解除させてロッドの回動を許容つまりロックアームを使用態様に切り換えることができる。この切換構成は簡易であり確実性に優れている。
【００１５】
請求項５の発明では、レバーとロックアーム及びロッドが基部に対して一体ものとして回動支持されるため良好な組立性が実現される。
【００１６】
請求項６の発明では、ロックアームの非使用態様において、操作部が前板の前面よりも突出しない位置に退避させることにより外観を維持できる。すなわち、操作部は、ロックアームの非使用態様において、先端が以下の形態例のごとく前板の周端面の板厚内にほぼ収まっているか、又は、以下の変形例のごとく前板に設けられて内外を貫通しているスリット内にほぼ収まっている。これらは、操作部が前板の前面より常に突出している構成に比べ見栄えを維持する上で最良な構成となる。
【図面の簡単な説明】
【００１７】
【図１】本発明形態に係るロック装置をロックアームの使用態様で示し、（ａ）は筐体前方から見た模式斜視図、（ｂ）は（ａ）のＡ−Ａ線断面図、（ｃ）は（ｂ）のＢ方向から見た模式斜視図である。
【図２】上記ロック装置をロックアームの非使用態様で示し、（ａ）は筐体前方から見た模式斜視図、（ｂ）は（ａ）のＡ１−Ａ１線断面図、（ｃ）は（ｂ）のＢ１方向から見た模式斜視図である。
【図３】（ａ）は上記ロック装置の分解斜視図、（ｂ）は係止部材の斜視図、（ｃ）は取付手段の変形例を示す模式図である。
【図４】（ａ）は上記ロック装置をロックアームの使用態様で示す斜視図、（ｂ）は前記ロックアームの非使用態様で示す斜視図である。
【図５】上記ロック装置をロックアームの使用態様で示し、（ａ）は上面図、（ｂ）は正面図、（ｃ）は背面図、（ｄ）右側面図、（ｅ）は（ｂ）のＣ−Ｃ線断面図である。
【図６】上記ロック装置をロックアームの非使用態様で示し、（ａ）は上面図、（ｂ）は正面図、（ｃ）は背面図、（ｄ）右側面図、（ｅ）は（ｂ）のＣ１−Ｃ１線断面図である。
【図７】上記ロック装置の基部を示し、（ａ）は正面図、（ｂ）は背面図、（ｃ）は（ｂ）のＤ−Ｄ線断面図、（ｄ）は（ｂ）のＤ１−Ｄ１線断面図、（ｅ）は（ｂ）のＤ２−Ｄ２線断面図である。
【図８】上記ロック装置のレバーを示し、（ａ）は上面図、（ｂ）は左側面図、（ｃ）は正面図、（ｄ）は（ｃ）のＥ−Ｅ線断面図、（ｅ）は（ｃ）のＥ１−Ｅ１線断面図である。
【図９】上記ロック装置の作動切換部材を示し、（ａ）は上面図、（ｂ）は左側面図、（ｃ）は正面図、（ｄ）は右側面図、（ｅ）は（ｃ）のＦ−Ｆ線断面図である。
【図１０】図１及び図２の変形例を示し、（ａ）は図１（ａ）に対応した筐体前方から見た模式斜視図、（ｂ）は図１０（ａ）のＡ２−Ａ２線断面図である。
【図１１】（ａ）と（ｂ）は特許文献１の図２及び図５を示す説明図である。
【発明を実施するための最良の形態】
【００１８】
以下、本発明の形態例について添付した図面を参照しながら説明する。この説明では、ロック装置の構造を明らかにした後、主な作動、更に変形例に言及する。
【００１９】
（構造）図１〜図９において、形態例のロック装置は、収納空間などを区画している筐体７の開口を開閉自在に閉鎖する前板８及び筐体７の何れか一方に取り付けられるロック本体５と、前板８及び筐体７の他方に設けられてロック本体５と係合することで前板８の移動を阻止する係止部材６とを備えたタイプである。この例では、前板８が特許文献１と同様に上側に横方向に延びた取っ手８ａを有していると共に、不図示の下側ヒンジを介して回動されて筐体７の開口を開閉する。ロック本体５は、前板８の背面上側にネジや係止軸部等の止め具９により装着された状態で、後述するレバー２の操作部２７が取っ手８ａの周端面８ｂ（ここでは上端面）に沿って配置されている。
【００２０】
ここで、前板８と筐体７との間には、図１１（ａ）に例示される折曲自在アームが必要に応じて設けられる。また、係止部材６は、図３（ｂ）に示されるごとく概略細長い片状なし、取付面と反対側の表面にあって一端側に突設された係止突起６ａと、複数の取付孔６ｂとを有している。係止突起６ａは、手前側が略直角な面に形成され、ロックアーム２８と係合する過程で最初に当たる後側が傾斜面に形成されている。以上の係止部材６は、筐体７の収納空間７ａ内で、ロックアーム２８と対向するよう側板７ｂにネジ等の止め具９により取り付けられる。勿論、係止部材６やロック本体５の取付手段は、止め具９に代えて、例えば貼着、接着、溶着等により取り付けるようにしてもよい。更に、それ以外の取付手段としては、止め具９に代えて、図３（ｃ）に模式的に示したごとく基部１又は係止部材６に周囲に係止部を突出した係止軸部９ａを設け、その係止軸部９ａを筐体７（又は前板８）に設けた凹部７ｄ（又は凹部８ｄ）に打ち込む等して圧入固定つまり圧着する構成でもよい。
【００２１】
次に、ロック本体の細部を明らかにする。このロック本体５は、取付及び支持用の基部１と、基部１に支持されて回動操作可能なレバー２と、レバー２と一体であるロックアーム２８と、レバー２とロックアーム２８との間に設けられているロッド２０と、ロックアーム２８を係止部材６と係合する方向へ付勢する付勢手段であるコイルバネ４と、ロックアーム２８を係止部材６と係合可能な使用態様又は係合不能な非使用態様となるよう切り換える作動切換部材３とを備えている。なお、基部１、レバー２、作動切換部材３、係止部材６は樹脂成形品であるが、樹脂以外でも差し支えない。
【００２２】
このうち、基部１は略矩形のベース１０からなる。ベース１０は、図５及び図７に示されるごとく、背面が周囲壁の内側を大きく欠肉した凹所１１となっており、周囲壁の上側に設けられた半円状の嵌合孔１３と、凹所１１の底面上側に開口されて作動切換部材の摘み部３２を凹所１１側から表面側に挿通する矩形の小窓１４と、小窓１４の片側にあって小窓１４側から延びる２つのスリット１４ａにより揺動可能に区画された揺動片１５と、略上下中間に開口されてレバーのロックアーム２８を挿通し、かつ回動範囲を規制する矩形の大窓１６と、凹所１１の底面に立設されて大窓１６を縁取っているコ形状の立壁１２ｅと、立壁１２ｅの縦壁に設けられてコイルバネ４の一端４ａを大窓側から凹所１１側に導く凹部１２ｆと、凹部１２ｆの外側に設けられて一端４ａを係止する略Ｕ状の掛止部１２ｇと、大窓１６の片側に設けられて表面から窪んだ凹部１７と、表面下両側に設けられている凹部１８，１８と、各凹部１７，１８に設けられた取付孔１７ａ，１８ａとを有している。
【００２３】
また、ベース１０は、作動切換部材３を摺動可能に支持する箇所として、凹所１１底面にあって小窓１４の上下の両側に対向して立設された４つの先端爪付き突片１２ｂと、両側の突片１２ｂの間に立設された２つのガイド片１２ｃとを有している。揺動片１５は、作動切換部材３に対し先端に設けられた凸部１５ａを介して圧接可能となっている。
【００２４】
更に、ベース１０は、ロッド２０を回動自在に支持する箇所として、上周囲壁に設けられた半円状の嵌合孔１３と、凹所１１内にあって嵌合孔１３の下側に設けられている円弧状リブ１２ａと、立壁１２ｅの上下の対向壁部に設けられている半円状嵌合孔１２ｈと、各嵌合孔１２ｈの外側に設けられた円弧状リブ１２ｄとを有している。嵌合孔１３、リブ１２ａの円弧状、嵌合孔１２ｈ、リブ１２ｄの円弧状は同軸線上にある。
【００２５】
なお、ベース１０において、符号１０ａは小窓１４及び揺動片１５を含む箇所を囲むよう表面側に突出されたリブ、符号１０ｂは大窓１６の一部を囲むよう表面側に突出されたリブ、符号１９ａはリブ１０ａの内側にあって各突片１２ｂに対応して設けられたた型抜き孔、符号１９ｂは掛止部１２ｇに対応して設けられた型抜き孔である。
【００２６】
これに対し、レバー２は、図３に示されるごとくベース１０に対して回動可能に支持されるロッド２０と、ロッド２０の上端側周囲に突設された係合部２４と、ロッド２０の上端に連結されている操作部２７と、ロッド２０の下端側周囲に突設されているロックアーム２８などを一体に有している。
【００２７】
詳述すると、ロッド２０は、ベース１０に対して、図８に示されるごとく上端が少し径大となった上軸部２０ａと、その下に位置してベースの嵌合孔１３及びリブ１２ａの円弧に嵌合される軸部２０ｂと、その下に位置して周囲の一部に係合部２４を突出している若干径小となった軸部２０ｃと、その下に位置してベースの嵌合孔１２ｈ及びリブ１２ｄの円弧に嵌合される軸部２０ｄと、その下に位置して周囲にロックアーム２８を突出している軸部２０ｅと、その下に位置した下軸部２０ｆとからなる。
【００２８】
軸部２０ｂは、周囲に突出したリブ２１を有しており、嵌合孔１３及びリブ１２ａに嵌合支持された状態で、上軸部２０ａとリブ２１との間にベース１０の上周囲壁を挟持している。軸部２０ｅには、図８（ｅ）のごとくコイルバネ４を配置するための空洞２５、及び空洞２５と連通してロックアーム２８の肉厚内に延びた隙間２６が設けられている。コイルバネ４は、巻線部が空洞２５に配置され、その巻線部の一端４ｂが隙間２６に差し込まれて係止される。巻線部の他方の一端４ａは、付勢力を発現しながら、図５及び図６のごとくベース側の凹部１２ｆを通って掛止部１２ｇに係止される。このため、ロックアーム２８は、通常、コイルバネ４の付勢力によりロッド２０を介して図１に示されるごとく係止部材６と係合する方向へ回動されている。
【００２９】
係合部２４は図８（ｄ）のごとく突起状となっている。係合部２４の突出方向は、操作部２８の突出方向と、ロックアーム２８の突出方向とのほぼ間に位置している。そして、係合部２４は、ロッド２０がベース１０に回動可能に支持された後、図５のごとく作動切換部材３が上下の突片１２ｂ同士の間に摺動可能に支持されると、ベース１０と作動切換部材３との間に目視不能に配置される。
【００３０】
操作部２７は、薄板状となっており、ロッド２０を介して同図の実線で示されるロック位置（これは図１に示されるロックアーム２８の使用態様と同じ）と、破線で示されるロック解除位置（これは図２に示されるロックアーム２８の非使用態様と同じ）との間で所定角だけ回動される。操作部２７は、図５（ａ）のごとく先端がロック位置においてベース１０から最も離れた前方へ突出しており、ロック解除位置又はロックアーム２８の非使用態様においてベース１０に最も近づくようになっている。符号Ｌは、操作部２７がロック位置とロック解除位置とで最大変位する操作部先端の移動寸法である。
【００３１】
ロックアーム２８は、先端が丸みないしは傾斜した形状に形成されており、また、先端側の一側面に設けられて係止部材の係止突起６ａと係脱する窪み状の係合凹部２９を有している。
【００３２】
一方、作動切換部材３は、図３及び図９に示されるごとく小ブロック状となっており、背面３０が略平坦面に形成され、又、背面３０の両側上下部にそれぞれ設けられている４つの横溝３０ａと、正面側にあって右側を左側より一段厚く形成された厚肉部３１と、左側の一段低い収納部３７と、厚肉部３１の端面に接合した状態で突設された摘み部３２と、厚肉部３１の表面にあって外端面側と摘み部３２の手前側とにそれぞれ設けられた窪み部３３，３４と、収納部３７の上下部に対向して設けられたガイドリブ３５と、ガイドリブ３５同士の間に設けられてガイドリブ３５よりも高いロックアーム非係合維持部３６とを有している。
【００３３】
以上の作動切換部材３は、摘み部３２を小窓１４から外へ突出するよう凹所１１内に配置すると、図６に示されるごとく上記した各突片１２ｂが対応する横溝３０ａに先端爪部を嵌合し、かつ、上下のガイド片１２ｃによりガイドされた状態でベース１０に対して横方向に摺動可能に支持される。
【００３４】
そして、作動切換部材３は、図５において、ロックアーム非係合維持部３６が係合部２４の揺動を許容するよう収納部３７内に配置されており、上記揺動片の凸部１５ａが窪み部３３と着脱可能に係合されている。この状態では、作動切換部材３がレバー２ないしはロッド２０の回動を許容した態様、つまりロックアーム２８を使用態様に保持している。この状態から、作動切換部材３は、図６のごとく摘み部３３が指などで左側へ摺動操作されると、前記凸部１５ａが窪み部３３から係合解除されて今度は窪み部３４と着脱可能に係合した状態で、ロックアーム非係合維持部３６が係合部２４をコイルバネ４の付勢力に抗し凹所１１の底面側に押して係合部２４と係合する。すると、作動切換部材３は、係合部２４を揺動不能（レバー２ないしはロッド２０の回動を規制した態様）、つまり係止部材６に対してロックアーム２８を作用しない非使用態様に切り換えられる。ロックアーム２８を再び使用態様に切り換える場合は、摘み部３３の摺動操作により作動切換部材３を図５（ｅ）に示される状態、つまり係合部２４が収納部３７に配置されるよう切り換えることになる。
【００３５】
（作動）以下、以上のように構成されたロック装置の主な作動特徴について詳述する。まず、ロック本体５は、図１に例示されるごとく筐体７の内側面に取り付けられた係止部材６に対応させて前板８の内面に止め具９などにより取り付けられる。この場合は、図５（ａ）に示した操作部２７の回動角ないしは同図の操作部先端の移動寸法Ｌに応じて、操作部２７が図１（ｂ）の実線位置（操作部先端が前板８の周端面８ｂないしは上端面から外へ少しだけ突出する位置）と破線位置（操作部先端が周端面８ｂないしは上端面にほぼ収まる位置）との間で回動されるよう位置決めされる。
【００３６】
（１）、図１及び図５では、ロック本体５がロックアーム２８の使用態様となっている。この使用態様において、作動切換部材３はロックアーム非係合維持部３６が係合部２４の凹所１１の右内側面に接近していると共に、収納部３７が係合部２４を受け入れる収容箇所まで移動配置されおり、又、上記揺動片の凸部１５ａが窪み部３３と着脱可能に係合している。このため、使用態様では、レバー２ないしはロッド２０の回動が許容されて、ロックアーム２８が係止部材６に対して係脱可能となっている。
【００３７】
（２）従って、ロックアーム２８は、前記使用態様において、図１から推察されるごとく前板８が開放状態から回動されて筐体７の開口を閉じる過程で、まず、傾斜している先端が係止部材の係止突起６ａの傾斜面に当たり、バネ部材４の付勢力に抗して若干係止突起６ａから離れる方向、この例だと時計回りに回動されて係止突起６ａの傾斜面を乗り越える。ロックアーム２８は、その乗り越え完了と同時にバネ部材４の付勢力で先ほどとは逆方向、この例だと逆時計回りに回動されることにより、係合凹部２９が係止突起６ａと係合し、前板８を閉鎖状態にロックする。
【００３８】
（３）図１において、前板８を再び開放する場合は、係止突起６ａに対するロックアームの係合凹部２９の係合を解除する。この操作は、特許文献１に比べて、前板８から露出されている操作部２７をコイルバネ４の付勢力に抗して前板側へ押して回動する動作と、前板８を開放方向である前方へ回動する動作とを同時に必要とするため、幼児や子供が不用意に前板を開放してしまうという虞をなくすことができる。その結果、このロック装置は、包丁を収容した厨房システムやキャビネットに適用すると、安全性を向上でき、チャイルドロックとしてより好適なものとなる。
【００３９】
（４）、前板８を頻繁に開閉する場合は、予めロックアーム２８を作動切換部材３により使用態様から非使用態様に切り換えておけば開閉の都度、図２に示したごとくレバー２を回動操作して係合解除する行為が不要となる。この点は特許文献１でも同様な作動が得られる。しかし、特許文献１では、ロックアームを変位可能にする揺動手段及び変位後の位置に保つ維持手段を有し、ロックアーム自体を直接操作して姿勢を使用態様と非使用態様とに切り換えるため操作的及び外観的に煩雑となる。これに比べ、本発明では、ロックアーム２８を専用の作動切換部材３により使用態様と非使用態様とに切り換えるため良好な操作性を実現できる。
【００４０】
（５）、その他、このロック本体５では、作動切換部材３がベース１０の凹所１１に配置されているため装置外観も維持し易い。また、レバー２は、操作部２７及びロックアーム２８並びにロッド２０がベース１０に対して一体ものとして回動支持されるため組立性が良好となる。しかも、ロックアーム２８の非使用態様において、操作部２７が前板８の前面よりも突出しない位置に退避させることにより外観を維持できる。
【００４１】
（変形例）図１０は前板８に対するロック本体５の配置を変更した一例である。この説明では、上記形態例と同一又は類似する箇所には同じ符号を付し、変更した構成に絞って述べる。
【００４２】
前板８は、左上側に設けられて操作部２７を前板背面より前方に揺動可能に挿入配置するスリット８ｃを有している。すなわち、スリット８ｃは、図５（ａ）に示した操作部２７の回動角ないしは同図の操作部先端の移動寸法Ｌを考慮した大きさとなっている。
そして、ロック本体５は、操作部２７がそのスリット８ｃに挿入された状態で、前板８の背面側に取り付けられている。この場合、係止部材６は、筐体７の側板７ｂに対しロック本体のロックアーム２８に対応させて取り付けられる。
【００４３】
以上のように、操作部２７の配置は、ロックアーム２８の非使用態様において、上記の形態例のごとく先端が前板８の周端面８ｂの板厚内にほぼ収まっている構成に限られず、この変形例のごとく前板８に設けられて内外を貫通しているスリット８ｃ内にほぼ収まっている構成も可能である。各構成では、操作部２７が前板８の前面より常に突出している構成に比べ見栄えを大幅に向上できる。
【００４４】
なお、本発明のロック装置は、請求項１で特定される構成を備えておればよく、細部は以上の説明を参考にして変更したり展開可能なものである。その一例としては、以上のレバーは操作部とロックアーム及びロッドを一体に形成しているが、それに代えて例えば操作部をロッドに着脱ないしは交換可能に連結する構成でもよい。
【符号の説明】
【００４５】
１・・・・基部（１０はベース、１５は弾性片）
２・・・・レバー（２０はロッド、２４は係合部）
３・・・・作動切換部材（３２は摘み部）
４・・・・コイルバネ（付勢手段）
５・・・・ロック本体
６・・・・係止部材（６ａは係止部）
７・・・・筐体（７ａは収納空間、７ｂは側板）
８・・・・前板（８ａは取っ手、８ｂは上端面等の周端面）
２７・・・操作部
２８・・・ロックアーム
３６・・・ロックアーム非係合維持部
３７・・・収納部
【図１】
2016123807.tif 000003
【図２】
2016123807.tif 000004
【図３】
2016123807.tif 000005
【図４】
2016123807.tif 000006
【図５】
2016123807.tif 000007
【図６】
2016123807.tif 000008
【図７】
2016123807.tif 000009
【図８】
2016123807.tif 000010
【図９】
2016123807.tif 000011
【図１０】
2016123807.tif 000012
【図１１】
2016123807.tif 000013